(57)【要約】【課題】本発明は、マシンの製造会社が売ったリアルマシンの制御装置の制御をインターネットによって遠隔制御することにより、マシン売上げ後の売上げを得ることを目的とする。【解決手段】本発明による遠隔多地点に対する遠隔制御サービス方法は、各リアルマシン（２）の制御装置（１２）を共通化し、マシン製造会社側がインターネット（３）を介して遠隔制御により、自在に制御内容の設定変更を行う方法である。【選択図】        図１
2005025614.tif 000002
【特許請求の範囲】
【請求項１】
インターネット（３）に接続された制御クライアント機器（１）と、前記インターネット（３）に接続されリアルマシンサーバ（１０）を有する複数の客先（４，４ａ）と、前記客先（４，４ａ）のリアルマシンサーバ（１０）に接続されたリアルマシン（２）の制御装置（１２）とを備え、
前記各制御装置（１２）の内容は共通化されて前記リアルマシンサーバ（１０）に制御用ＬＡＮ（１１）を介して接続された状態において、前記制御クライアント機器（１）から制御開始をインターネット（３）を介して被制御対象の前記客先（４，４ａ）の前記リアルマシンサーバ（１０）に伝達し、前記リアルマシンサーバ（１０）は、制御内容を仲介するソフトウェアからなるバーチャルマシンより構成されるエージェント（Ｂ）を前記制御クライアント機器（１）に送り返し、前記制御クライアント機器（１）は手元に来た前記エージェント（Ｂ）に対して制御指令（Ｃ）を行うと、前記制御指令（Ｃ）が前記リアルマシンサーバ（１０）に伝達され、前記客先（４，４ａ）のリアルマシン（２）の制御装置（１２）の制御が行われることを特徴とする遠隔多地点に対する遠隔制御サービス方法。
【請求項２】
前記リアルマシンサーバ（１０）は、前記リアルマシン（２）に関するモニタ情報（Ｄ）を前記制御クライアント機器（１）内の前記エージェント（Ｂ）に伝達し、前記リアルマシン（２）の監視を行うことを特徴とする請求項１記載の遠隔多地点に対する遠隔制御サービス方法。
【請求項３】
被制御対象をバーチャルクライアント（２０）としてソフトウェア的に表現して前記各リアルマシンサーバ（１０）に登録し、前記被制御対象を制御する場合、前記インターネット（３）を介して前記制御クライアント機器（１）に前記バーチャルクライアント（２０）をダウンロードし、前記バーチャルクライアント（２０）に対して制御を行うことを特徴とする請求項１又は２記載の遠隔多地点に対する遠隔制御サービス方法。
【発明の詳細な説明】
【０００１】
【発明の属する技術分野】
本発明は、遠隔多地点に対する遠隔制御サービス方法に関し、特に、各リアルマシンの制御装置の内容を共通化し、リアルマシンサーバと制御クライアント機器をインターネットで接続し、リアルマシンの製造側が世界中に販売したリアルマシンの制御等を遠隔で自在に行うための新規な改良に関する。
【０００２】
【従来の技術】
従来、用いられていた個々のリアルマシンは、製造会社から各ユーザーに出荷され、各マシンには各々ユーザーの仕様に応じた制御装置が用いられ、各々固定化された動作を行うように設定されていた。従って、このような通常の商慣行を示す特許文献等は存在していない。
【０００３】
【発明が解決しようとする課題】
従来のリアルマシンの制御装置の制御方法は、以上のように構成されていたため、次のような課題が存在していた。
すなわち、ユーザー側で使用されているリアルマシンは、各ユーザー仕様の制御装置を用いているため、制御サービスの要請があった場合には、製造会社のサービスマンが各ユーザー側まで出かけなければならず、容易なことではなかった。
また、リアルマシン及び制御装置の製造会社としては、リアルマシンを一度販売すると、販売の売上げのみで、その後の部品補給以外では売上げの上がることは殆どなかった。
また、販売した各リアルマシンの制御の監視を行うには、特別のモニタ装置をつける必要があり、制御内容の変更は容易なことではなかった。
【０００４】
本発明は、以上のような課題を解決するためになされたもので、特に、各リアルマシンの制御装置の内容を共通化し、リアルマシンサーバと制御クライアント機器をインターネットで接続し、リアルマシンの製造側が世界中に販売したリアルマシンの制御等を遠隔で自在に行うようにした遠隔多地点に対する遠隔制御サービス方法を提供することを目的とする。
【０００５】
【課題を解決するための手段】
本発明による遠隔多地点に対する遠隔制御サービス方法は、インターネットに接続された制御クライアント機器と、前記インターネットに接続されリアルマシンサーバを有する複数の客先と、前記客先のリアルマシンサーバに接続されたリアルマシンの制御装置とを備え、前記各制御装置の内容は共通化されて前記リアルマシンサーバに制御用ＬＡＮを介して接続された状態において、前記制御クライアント機器から制御開始をインターネットを介して被制御対象の前記客先の前記リアルマシンサーバに伝達し、前記リアルマシンサーバは、制御内容を仲介するソフトウェアからなるバーチャルマシンより構成されるエージェントを前記制御クライアント機器に送り返し、前記制御クライアント機器は手元に来た前記エージェントに対して制御指令を行うと、前記制御指令が前記リアルマシンサーバに伝達され、前記客先のリアルマシンの制御装置の制御が行われる方法であり、また、前記リアルマシンサーバは、前記リアルマシンに関するモニタ情報を前記制御クライアント機器内の前記エージェントに伝達し、前記リアルマシンの監視を行う方法であり、また、被制御対象をバーチャルクライアントとしてソフトウェア的に表現して前記各リアルマシンサーバに登録し、前記被制御対象を制御する場合、前記インターネットを介して前記制御クライアント機器に前記バーチャルクライアントをダウンロードし、前記バーチャルクライアントに対して制御を行う方法である。
【０００６】
【発明の実施の形態】
以下、図面と共に本発明による遠隔多地点に対する遠隔制御サービス方法の好適な実施の形態について説明する。
図１において符号１で示されるものは実際に出荷したリアルマシン２を製造したマシン製造会社側に設置されている制御クライアント機器であり、この制御クライアント機器１はインターネット３を介して複数の客先４、４ａ・・・に設けられた各リアルマシンサーバ１０に接続することができるように構成されている。
【０００７】
前記各客先４、４ａ・・・における前記各リアルマシンサーバ１０には、制御用ＬＡＮ１１を介して前記各リアルマシン２の制御装置１２の各通信部１３が接続されている。
【０００８】
次に、動作について述べる。まず、前述の構成において、前記マシン製造会社が各客先４、４ａに販売した各リアルマシン２の制御装置１２は、その制御用の内容であるハードウェア及びソフトウェアが全て共通化されており、この状態において、前記制御クライアント機器１から制御開始Ａをインターネット３を介して被制御対象である前記客先４、４ａのリアルマシンサーバ１０に伝達する。
【０００９】
前記リアルマシンサーバ１０は、その制御内容を仲介するソフトウェアからなるバーチャルマシンより構成されるエージェントＢを前記制御クライアント機器１の仮想画像よりなるバーチャルクライアント２０に送り返す。
【００１０】
前記制御クライアント機器１は、手元に来た前記エージェントＢに対して制御指令Ｃを行うと、前記制御指令Ｃが前記リアルマシンサーバ１０に伝達され、前記客先４、４ａの各リアルマシン２の制御装置１２の制御が行われることにより、各客先４、４ａ、すなわち、遠隔多地点に対する遠隔制御サービスを行うことができる。
【００１１】
前記リアルマシンサーバ１０は、前記リアルマシン２に関するモニタ情報Ｄを、前記制御クライアント機器１内の前記エージェントＢに伝達し、前記リアルマシン２の監視を行うことができる。
【００１２】
また、被制御対象の制御装置１２をバーチャルクライアント２０として、ソフトウェア的に表現して前記リアルマシンサーバ１０に登録し、前記被制御対象を制御する場合、前記インターネット３を介して前記制御クライアント機器１に前記バーチャルクライアント２０をダウンロードし、前記バーチャルクライアント２０に対して制御を行うことにより、各制御装置１２に対する制御を行うことができる。
【００１３】
【発明の効果】
本発明による遠隔多地点に対する遠隔制御サービス方法は、以上のように構成されているため、次のような効果を得ることができる。
すなわち、マシンの製造会社は、インターネット及びリアルマシンサーバを介して各リアルマシンの制御装置の制御を行うことができ、遠隔多地点の多くの対象機器を制御することができる。
また、このように、インターネットを介して客先のニーズに応じて国内に限らず世界中に販売したリアルマシンの制御装置の制御内容の変更等を行うことができることにより、マシン製造会社は、マシンの販売後においても、マシンの売上げのみで終ることなく、客先から継続的に収入を得ることができ、マシン製造会社の総売上げの向上にも寄与することができる。
【図面の簡単な説明】
【図１】本発明による遠隔多地点に対する遠隔制御サービス方法を示すブロック図である。
【符号の説明】
１    制御クライアント機器
２    リアルマシン
３    インターネット
４、４ａ    客先
１０    リアルマシンサーバ
１１    制御用ＬＡＮ
１２    制御装置
１３    通信部
２０    バーチャルクライアント
【図１】
2005025614.tif 000003